(57)【特許請求の範囲】
【請求項１】
コンクリート構造物にアンカーボルトを挿入するボルト孔を形成し、そのボルト孔に先端部分を加熱したアンカーボルトを挿入し、アンカーボルトの後端部を打撃して前記加熱した先端部分を拡大してアンカーボルトをボルト孔に固定するアンカーボルトの固定方法において、
アンカーボルト（１２）の後端部分の外周に形成してあるねじ山（１２２）にノッキングヘッド用及び緩み止め用のナット（２２）を嵌め、該ナット（２２）を打撃してアンカーボルト（１２）の前記加熱した先端部分を拡大し、該ねじ山（１２２）にロングナット（２４）を嵌め、該ロングナット（２４）に吊ボルト（１３）を嵌め、該吊ボルト（１３）に緩み止め用のナット（２５）を嵌めることを特徴とするアンカーボルトの固定方法。
【請求項２】
請求項１に記載のアンカーボルトの固定方法において、前記ボルト孔の孔径は、入口側部分よりも奥側部分の方が大きいことを特徴とするアンカーボルトの固定方法。
【請求項３】
請求項２に記載のアンカーボルトの固定方法において、前記ボルト孔の入口側部分と奥側部分との境界に段状部を形成してあることを特徴とするアンカーボルトの固定方法。
【発明の詳細な説明】
【技術分野】
【０００１】
本発明は、トンネル等のコンクリート構造体に形成したボルト孔に、アンカーボルト（あと施工アンカーボルト）を固定する方法に関する。
【背景技術】
【０００２】
従来コンクリート構造体にアンカーボルトを固定する方法として、コンクリートにボルト孔をあけてそのボルト孔にアンカーボルトを挿入し、ボルト孔とアンカーボルトの間に接着剤を圧入してアンカーボルトをボルト孔に固定する方法が採られている。また先端部分に拡開用の割り溝を形成したアンカーボルトをボルト孔に挿入し、拡開補助部材により割り溝の部分を拡開して（広げて）、アンカーボルトをボルト孔に機械的に固定する方法が採られている。
アンカーボルトをボルト孔に機械的に固定する方法の一つとして、ボルト孔の孔径を、入口側部分（トンネルの空洞側部分）よりも奥側部分（先端側部分）を大きくし、アンカーボルトをボルト孔に挿入したとき、アンカーボルトの割り溝がボルト孔の奥側部分で拡開するように構成したアンカーボルトの固定方法が提案されている（特許文献１）。
【０００３】
図４により従来のアンカーボルトの固定方法を説明する。
図４（ａ１）は、コンクリート構造体に形成したボルト孔の軸方向の断面図、図４（ａ２）は、ボルト孔にアンカーボルトを挿入した状態の断面図、図４（ａ３）は、ボルト孔にアンカーボルトを挿入し、アンカーボルトの先端部分を拡開した状態の断面図、図４（ｂ）は、アンカーボルトの先端の平面図である。
まず図４（ａ１）において、コンクリート構造体７１にボルト孔７２を形成する。ボルト孔７２の孔径は、入口側部分（図の下側）よりも奥側部分（図の上側）を大きくしてある。
次に図４（ａ２）において、ボルト孔７２に、拡開補助部材６３を中空部に挿入したアンカーボルト６１を挿入する。なおアンカーボルト６１の先端部分には、割り溝６１１を形成してある。割り溝６１１は、例えば図４（ｂ）のように４個形成する。
アンカーボルト６１の後端部にＹ１方向の力を加えてアンカーボルト６１を、ボルト孔７２に圧入すると、図４（ａ３）のように、アンカーボルト６１の先端部分に拡開補助部材６３が進入して割り溝６１１を拡開する。
【０００４】
図４（ａ３）において、アンカーボルト６１をボルト孔７２の最奥部まで挿入した後、接着剤の注入ノズル（図示せず）を使って、アンカーボルト６１の後端部からアンカーボルト６１の中空部内に接着剤７３２を注入する。アンカーボルト６１の中空部内に注入された接着剤７３２は、割り溝６１１の隙間から溢れて、ボルト孔７２とアンカーボルト６１との間に接着剤７３１が充填される。なお接着剤７３１，７３２は、同じ接着剤であるが、充填される場所が相違するから、便宜上別々の符号を使用している。
ナット６２は、アンカーボルト６１の後端部分に嵌める。
【先行技術文献】
【特許文献】
【０００５】
【特許文献１】特開２０１１−２４７０４９号公報
【発明の概要】
【発明が解決しようとする課題】
【０００６】
図４のアンカーボルトの固定方法は、先端部分に拡開用の割り溝を形成したアンカーボルトを用いるから、アンカーボルトの構造が複雑になり、かつ拡開補助部材が必要になるからアンカーボルトの固定に用いる部材の製造コストが高くなる。
本発明は、図４のアンカーボルトの固定方法の問題点を解決することを目的とし、構造が簡単で、安価なアンカーボルトを用いることができ、かつ固定作業も簡単なアンカーボルトの固定方法を提供することを目的とする。
【課題を解決するための手段】
【０００７】
本発明は、その目的を達成するため、請求項１に記載のアンカーボルトの固定方法は、コンクリート構造物にアンカーボルトを挿入するボルト孔を形成し、そのボルト孔に先端部分を加熱したアンカーボルトを挿入し、アンカーボルトの後端部を打撃して前記加熱した先端部分を拡大してアンカーボルトをボルト孔に固定するアンカーボルトの固定方法において、
アンカーボルト（１２）の後端部分の外周に形成してあるねじ山（１２２）にノッキングヘッド用及び緩み止め用のナット（２２）を嵌め、該ナット（２２）を打撃してアンカーボルト（１２）の前記加熱した先端部分を拡大し、該ねじ山（１２２）にロングナット（２４）を嵌め、該ロングナット（２４）に吊ボルト（１３）を嵌め、該吊ボルト（１３）に緩み止め用のナット（２５）を嵌めることを特徴とする。
請求項２に記載のアンカーボルトの固定方法は、請求項１に記載のアンカーボルトの固定方法において、前記ボルト孔の孔径は、入口側部分よりも奥側部分の方が大きいことを特徴とする。
請求項３に記載のアンカーボルトの固定方法は、請求項２に記載のアンカーボルトの固定方法において、前記ボルト孔の入口側部分と奥側部分との境界に段状部を形成してあることを特徴とする。
【発明の効果】
【０００８】
本発明のアンカーボルトは、構造が簡単であるから、安価に作製することができ、かつボルト孔に先端部分を加熱したアンカーボルトを挿入して、アンカーボルトの後端部を打撃するのみでアンカーボルトをボルト孔に固定できるから、固定作業が簡単になる。
本発明のボルト孔の孔径は、ボルト孔の入口側部分よりも奥側部分の方が大きく、アンカーボルトの先端部分の拡大部がボルト孔の奥側部分に係合するから、アンカーボルトは、ボルト孔から抜けることがない。
【図面の簡単な説明】
【０００９】
【図１】図１は、本発明の実施例に係るアンカーボルトの固定方法を説明する図である。
【図２】図２は、本発明の実施例に係るボルト孔の図である。
【図３】図３は、本発明の実施例に係るアンカーボルトの図である。
【図４】図４は、従来のアンカーボルトの固定方法を説明する図である。
【発明を実施するための形態】
【００１０】
本発明は、コンクリート構造物にボルト孔を形成し、そのボルト孔に、先端部分を加熱したアンカーボルトを挿入し、アンカーボルトの後端部を打撃して加熱した先端部分を変形拡大してボルト孔に固定する。
ボルト孔の孔径は、入口側部分から奥側部部分まで一様（同じ）であってもよいが、奥側部分の孔径を入口側部分の孔径よりも大きくすると、即ち奥側部分を大孔径にすると、アンカーボルトをボルト孔により強固に固定することができ、アンカーボルトの抜け防止の効果が大きくなる。
また必要に応じて、アンカーボルトとボルト孔との間に接着剤を充填してもよい。
【実施例】
【００１１】
図１、図２により本発明の実施例に係るアンカーボルトの固定方法を説明する。
図１（ａ１）は、コンクリート構造体に形成したボルト孔の軸方向の断面図、図１（ａ２）は、アンカーボルトの軸方向の断面図、図１（ａ３）は、ボルト孔にアンカーボルトを挿入した状態の断面図、図１（ａ４）は、アンカーボルトの加熱した先端部分を変形拡大した状態の断面図である。
まずコンクリート構造体３１にボルト孔３２を形成する（図１（ａ１））。ボルト孔３２は、入口側の部分（入口側部分）３２１と奥側の部分（奥側部分）３２２とからなり、入口側部分３２１の孔径は、一様であるが、奥側部分３２２の孔径は、奥ほど大きく形成してある。即ち奥側部分３２２の孔径は、入口側部分３２１の孔径よりも大きく形成してある。
次にボルト孔３２に挿入するアンカーボルトを準備する（図１（ａ２））。
アンカーボルト１１は、後端部分に小径部１１４を形成し、その小径部１１４にノッキングヘッド２１を嵌めてある。またアンカーボルト１１の後端部分には、吊金具（吊ボルト）（図示せず）を取付けるねじ孔１１３を形成してある。
アンカーボルト１１は、先端部分１１１を加熱して、ボルト孔３２の最奥部まで挿入する（図１（ａ３））。ボルト孔３２に挿入したアンカーボルト１１は、ノッキングヘッド２１をＹ２方向へ打撃すると、加熱した先端部分１１１が変形して（潰れて）ボルト孔３２の奥側部分３２２の径方向へ拡大して、拡大部１１２を形成する（図２（ａ４））。拡大部１１２は、奥側部分３２２に密着してボルト孔３２に固定される。
【００１２】
なおノッキングヘッド２１は、小径部１１４に鍔状部材を嵌めるか、或いは小径部１１４の外周にねじ山を形成してナットを嵌める構造にする。また小径部１１４の外周にねじ山を形成した場合には、そのねじ山を吊金具の取付け部として使用することもできる。
またアンカーボルト１１をボルト孔３２へ打ち込む長さ（量）は、ボルト孔３２の奥側部分３２２の大きさとアンカーボルト１１の拡大部１１２の大きさとを勘案して設定する。
【００１３】
アンカーボルト１１は、拡大部１１２が大孔径の奥側部分３２２に密着して固定されるから、ボルト孔３２に強固に固定される。
本実施例のアンカーボルト１１は、構造が簡単であるから、安価に作製することができ、かつ先端部分を加熱して後端部分を打撃するのみで、ボルト孔３２に固定できるから固定作業が簡単になる。
【００１４】
ボルト孔３２の形状は、図１のボルト孔３２の形状に限らず、図２（ａ１），（ａ２）の形状であってもよい。
図２（ａ１）の例は、孔径が一様の入口側部分３２１と大孔径の奥側部分３２３との境界に段状部３３を形成してある。また図２（ａ２）の例は、奥側部分３２４の断面形状を長方形或いは正方形にし、入口側部分３２１と大孔径の奥側部分３２４との境界に段状部３４を形成してある。
ボルト孔３２の形状が、図２の場合には、アンカーボルト１１の拡大部１１２が段状部３３，３４に係合するから、アンカーボルト１１の抜け防止効果が大きくなる。
ボルト孔３２の形状は、これらの形状に限らず、奥側部分の孔径が入口側部分の孔径よりも大きければ他の形状であってもよい。
【００１５】
図３は、図１のアンカーボルトと異なる構造のアンカーボルトの例である。
図３（ａ１）は、アンカーボルトの軸方向の断面図、図３（ａ２）は、アンカーボルトをコンクリート構造物のボルト孔に挿入して固定した後、吊ボルトを取付けた状態の軸方向の断面図である。なお図３（ａ２）は、コンクリート構造物の図示は省略してある。
図３（ａ１）において、アンカーボルト１２の後端部分の外周には、ナットを嵌めるねじ山１２２を形成し、ノッキングヘッド用のナット２２を嵌めてある。
アンカーボルト１２をボルト孔に固定するときは、先端部分１２１を加熱してボルト孔に挿入して、ノッキングヘッド用のナット２２を打撃して先端部分１２１を変形し拡大して拡大部を形成する（拡大部の図示は省略してある）。
図３（ａ２）において、アンカーボルト１２をボルト孔に固定した後、アンカーボルト１２に緩み止めナット２３、ロングナット２４を嵌め、外周にねじ山１３１を形成した吊ボルト１３を嵌める。そして吊ボルト１３に緩み止めナット２５を嵌める。
なお緩み止めナット２３は、ノッキングヘッド用のナット２２を使用することもできる。
【００１６】
またアンカーボルトは、図１、図３の構造のものに限らず、先端部分を加熱してボルト孔に挿入した後、後端部を打撃することができる構造のものであれば、本発明のアンカーボルトの固定方法に用いることができる。
【００１７】
１１，１２  アンカーボルト
１１１，１２１  先端部分
１１２  拡大部
１１３  ねじ孔
１１４  小径部
１２２  ねじ山
１３    吊ボルト
１３１  ねじ山
２1     ノッキングヘッド
２２    ノッキングヘッド用のナット
２３,２５  緩み止めナット
２４    ロングナット
３１    コンクリート構造物
３２    ボルト孔
３２１  入口側部分
３２２，３２３，３２４  奥側部分
３３，３４  段状部
【図１】
0005616468.tif 000002
【図２】
0005616468.tif 000003
【図３】
0005616468.tif 000004
【図４】
0005616468.tif 000005